(57)【要約】【課題】商品の取出時に取扱説明書が必然的に見られ、箱本体から取扱説明書を簡単に分離できる包装箱を提供する。【解決手段】箱本体１として、側壁４の上端にフラップ９を連設すると共に、前壁３を上端から切り込んで前差片１４を形成したものを使用し、付属体２として、表示板２１に蓋板２２を連設すると共に、蓋板２２の先端に蓋差片２３を連設し、蓋差片２３の基端に差込穴２４を設けたものを使用する。箱本体１の上に付属体２の表示板２１を載せ、表示板２１を抱き込むように箱本体１のフラップ９を内側へ折り曲げ、付属体２の蓋板２２を閉じ、蓋差片２３を箱本体１の前部に差し込み、前差片１４を屈曲させつつ付属体２の差込穴２４に差し込んで封緘する。開封時に付属体２の蓋板２２を開くと表示板２１が見え、フラップ９を起こすと箱本体１から付属体２が分離する。【選択図】図３
2007022557.tif 000002
【特許請求の範囲】
【請求項１】
箱本体１と付属体２とから成り、箱本体１として、側壁４の上端にフラップ９を連設すると共に、前壁３を上端から切り込んで前差片１４を形成したものを使用し、また付属体２として、表示板２１に蓋板２２を連設すると共に、蓋板２２の先端に蓋差片２３を連設し、蓋差片２３の基端に差込穴２４を設けたものを使用し、箱本体１の上に付属体２の表示板２１を載せ、表示板２１を抱き込むように箱本体１のフラップ９を内側へ折り曲げ、付属体２の蓋板２２を閉じ、蓋差片２３を箱本体１の前部に差し込み、前差片１４を屈曲させつつ付属体２の差込穴２４に差し込んで封緘する包装箱。
【請求項２】
請求項１に記載の包装箱において、箱本体１にも、後壁５の上端から延びる蓋板１０の先端に蓋差片１１を連設し、蓋差片１１の基端に前差片１４が差し込まれる差込穴１５を設け、開封後に付属体２を除去して、再封緘できるようにしたことを特徴とする包装箱。
【請求項３】
請求項１又は２に記載の包装箱において、付属体２に、表示板２１と蓋板２２とを閉じた状態に保持できる係止片２５及び係止穴２６を設けたことを特徴とする包装箱。
【発明の詳細な説明】
【技術分野】
【０００１】
この発明は、商品の梱包に使用する差込ロック式の包装箱に関するものである。
【背景技術】
【０００２】
一般に、デジタルカメラや携帯電話機等の梱包には、Ｅ段等の段ボールを材料とする差込ロック式の包装箱が使用され、商品の取扱説明書は、別途製本されて、商品と共に箱内に収納されている。
【０００３】
また、下記特許文献１には、写真フィルム等の収納に使用される包装箱において、箱本体の上端に連設した複数枚の写真枠を折り畳んで商品の上方に収納し、蓋を開くと写真枠が見えるようにしたものが記載されている。
【０００４】
【特許文献１】実開平４−９７０２０号公報
【発明の開示】
【発明が解決しようとする課題】
【０００５】
しかしながら、上記のように、取扱説明書を別途収納した包装箱でデジタルカメラ等の商品を梱包すると、商品の購入者が取扱説明書を読まずに商品を使用する場合が多く、無理な操作で商品が故障することがある。
【０００６】
このような事態を避けるため、特許文献１に記載の写真枠に替えて、箱本体に取扱説明書を連設することも考えられるが、この場合、取扱説明書だけを利用したり保管したりするためには、箱本体から取扱説明書を切り離す手間がかかるという問題がある。
【０００７】
そこで、この発明は、商品の取出時に取扱説明書が必然的に見られ、箱本体から取扱説明書を簡単に分離できる包装箱を提供しようとするものである。
【課題を解決するための手段】
【０００８】
上記課題を解決するため、この発明に係る包装箱は、箱本体と付属体とから成り、箱本体として、側壁の上端にフラップを連設すると共に、前壁を上端から切り込んで前差片を形成したものを使用し、また付属体として、表示板に蓋板を連設すると共に、蓋板の先端に蓋差片を連設し、蓋差片の基端に差込穴を設けたものを使用し、箱本体の上に付属体の表示板を載せ、表示板を抱き込むように箱本体のフラップを内側へ折り曲げ、付属体の蓋板を閉じ、蓋差片を箱本体の前部に差し込み、前差片を屈曲させつつ付属体の差込穴に差し込んで封緘することにより、開封時に付属体の蓋板を開くと表示板が見えるようにし、フラップを起こすと箱本体から付属体が分離するようにしたのである。
【０００９】
また、箱本体にも、後壁の上端から延びる蓋板の先端に蓋差片を連設し、蓋差片の基端に前差片が差し込まれる差込穴を設け、開封後に付属体を除去して、再封緘できるようにしたのである。
【００１０】
さらに、付属体のみを保管しておくため、付属体に、表示板と蓋板とを閉じた状態に保持できる係止片及び係止穴を設けたのである。
【発明の効果】
【００１１】
この包装箱では、開封に際し、箱本体の前差片を付属体の差込穴から引き抜いて、付属体の蓋板を開くと、付属体の表示板が必然的に見えるので、表示板に商品の取扱方法を印刷しておくことにより、商品の購入者が商品の取扱方法を予め認識した上で、箱本体から商品を取り出して操作することを期待でき、無理な操作による商品の故障を防止することができる。また、フラップを起こすだけで、箱本体から付属体を簡単に分離させ、付属体のみ利用したり、保管したりすることができる。
【発明を実施するための最良の形態】
【００１２】
以下、この発明の実施形態を添付図面に基づいて説明する。
【００１３】
この包装箱は、デジタルカメラ等の商品を収納する段ボール製の箱本体１と、商品の取扱説明書とする板紙製の付属体２とから成り、箱本体１及び付属体２は、図１に示すようなブランクから形成される。
【００１４】
箱本体１のブランクでは、前壁３の両側に側壁４が連設され、一方の側壁４に後壁５及び継代片６が順次連設されている。前壁３及び後壁５の下端には底板７が、側壁４の下端には底板８がそれぞれ連設され、側壁４の上端にはフラップ９が、後壁５の上端には蓋板１０がそれぞれ連設されている。
【００１５】
また、蓋板１０の先端には蓋差片１１が、前壁３の上端には内前板１２がそれぞれ連設され、前壁３と内前板１２の稜部には切溝１３が設けられている。前壁３の上部には、内前板１２への切込により前差片１４が設けられ、蓋差片１１の基部には、蓋板１０へかけて差込穴１５が設けられている。
【００１６】
一方、付属体２のブランクでは、３枚の表示板２１及び１枚の蓋板２２が一列に連設され、表示板２１には商品の簡単な取扱方法が印刷されている。蓋板２２の先端には蓋差片２３が連設され、蓋差片２３の基端には、箱本体１の前差片１４が差し込まれる差込穴２４が設けられている。
【００１７】
また、蓋差片２３には、弧状の切込による係止片２５及びその撓みを容易にする罫線が設けられ、蓋板２２に隣接する表示板２１には、係止片２５が差し込まれる係止穴２６が設けられている。
【００１８】
上記のようなブランクを組み立てて商品を梱包するには、図２に示すように、箱本体１において、前壁３、一対の側壁４及び後壁５を角筒状に折り曲げ、継代片６を反対側の側壁４に貼り付け、底板７，８により箱の底面を閉止し、前壁３から内前板１２を内側下方へ折り曲げる。
【００１９】
そして、箱内に商品を収納して、図３に示すように、蓋板１０を閉じ、蓋差片１１を内前板１２に内接するように差し込む。このとき、蓋差片１１が箱本体１の内底面に当接して、蓋板１０が水平に支持される。
【００２０】
その後、付属体２の３枚の表示板２１を折り重ねた状態で、図４に示すように、箱本体１の蓋板１０の上に表示板２１を載せ、表示板２１を抱き込むように箱本体１のフラップ９を内側へ折り曲げ、図５に示すように、付属体２の蓋板２２を閉じ、蓋差片２３を箱本体１の切溝１３に差し込み、前差片１４を屈曲させつつ付属体２の差込穴２４に差し込むと、この包装箱は、箱本体１と付属体２とが一体化された状態で封緘される。
【００２１】
このように、上記包装箱では、箱本体１の材料に厚みのある段ボールを使用し、付属体２の材料に薄い板紙を使用しているので、取扱説明書として折り重ねた付属体２を箱本体１に違和感なく付属させることができる。なお、付属体２の表示板２１が１枚だけの場合等、厚みの影響が少ない場合には、付属体２の材料を段ボールとしてもよい。
【００２２】
一方、この包装箱を開封して梱包した商品を取り出す際には、図４に示すように、箱本体１の前差片１４を付属体２の差込穴２４から引き抜き、付属体２の蓋差片２３を箱本体１の切溝１３から引き抜いて、蓋板２２を開き、フラップ９を起こして、図３に示すように、箱本体１から付属体２を分離させる。
【００２３】
このとき、付属体２の表示板２１に印刷された内容が必然的に見えるので、商品の購入者に予備知識として商品の取扱方法を認識させることができ、図２に示すように、箱本体１の蓋板１０を開いて、箱本体１から取り出した商品を購入者が使用する際、無理な操作による商品の故障を防止することができる。
【００２４】
また、上記箱本体１を商品の保管に使用する場合には、フラップ９を内側へ折り曲げ、蓋板１０を閉じ、蓋差片１１を内前板１２に内接させて差し込み、前差片１４を屈曲させつつ差込穴１５に差し込むことにより、付属体２がなくても、箱本体１を再封緘することができ、商品を塵埃等から保護することができる。
【００２５】
また、箱本体１から分離した付属体２は、図６に示すように、表示板２１と蓋板２２とを折り重ね、表示板２１を抱き込むように蓋差片２３を折り曲げて、蓋差片２３を撓ませつつ、係止片２５及び係止穴２６に係合させると、扁平な嵩張らない状態で保管しておくことができ、必要なときにいつでも商品の取扱方法を調べることができる。
【図面の簡単な説明】
【００２６】
【図１】この発明の実施形態に係る包装箱のブランクを示す図
【図２】同上の箱本体の開蓋状態を示す斜視図
【図３】同上の箱本体と付属体の分離状態を示す斜視図
【図４】同上の箱本体への付属体の載置状態を示す斜視図
【図５】同上の封緘状態を示す斜視図
【図６】同上の付属体の保管状態を示す斜視図
【符号の説明】
【００２７】
１  箱本体
２  付属体
３  前壁
４  側壁
５  後壁
６  継代片
７，８  底板
９  フラップ
１０  蓋板
１１  蓋差片
１２  内前板
１３  切溝
１４  前差片
１５  差込穴
２１  表示板
２２  蓋板
２３  蓋差片
２４  差込穴
２５  係止片
２６  係止穴
【図１】
2007022557.tif 000003
【図２】
2007022557.tif 000004
【図３】
2007022557.tif 000005
【図４】
2007022557.tif 000006
【図５】
2007022557.tif 000007
【図６】
2007022557.tif 000008